(57)【要約】【課題】不使用時には帽子などのマーカー保持具に容易に取り付けることができると共に使用時にはグリーン上に目立たせることができ、グリーン上に配置したとき他のプレーヤに違和感などを抱かせてしまうことがないゴルフボールマーカーを提供する。【解決手段】本考案では、上部マーカーを下部マーカーの上部に磁力により直立させて使用する２ピース一体型ゴルフボールマーカーにおいて、上部マーカーと下部マーカーとを同一外周形状に形成するとともに、下部マーカーを上部マーカーよりも重く形成することにした。また、前記下部マーカーは、前記上部マーカーよりも肉厚に形成することにした。また、前記下部マーカーは、上下に貫通する貫通穴を有し、その貫通穴に磁石を上下両面を露出させた状態で取付けることにした。さらに、前記下部マーカーは、前記上部マーカーを直立させる領域を凹状に形成することにした。【選択図】図１
0003153132.tif 000002
【実用新案登録請求の範囲】
【請求項１】
上部マーカーを下部マーカーの上部に磁力により直立させて使用する２ピース一体型ゴルフボールマーカーにおいて、
上部マーカーと下部マーカーとを同一外周形状に形成するとともに、下部マーカーを上部マーカーよりも重く形成したことを特徴とする２ピース一体型ゴルフボールマーカー。
【請求項２】
前記下部マーカーは、前記上部マーカーよりも肉厚に形成したことを特徴とする請求項１に記載の２ピース一体型ゴルフボールマーカー。
【請求項３】
前記下部マーカーは、上下に貫通する貫通穴を有し、その貫通穴に磁石を上下両面を露出させた状態で取付けたことを特徴とする請求項１又は請求項２に記載の２ピース一体型ゴルフボールマーカー。
【請求項４】
前記下部マーカーは、前記上部マーカーを直立させる領域を凹状に形成したことを特徴とする請求項１〜請求項３のいずれかに記載の２ピース一体型ゴルフボールマーカー。
【考案の詳細な説明】
【技術分野】
【０００１】
本考案は、ゴルフプレーにおいて、グリーン上のボールの位置を確認するために使用されるゴルフボールマーカーに関する。
【背景技術】
【０００２】
従来より、グリーン上のボールの位置を確認するためにゴルフボールマーカーが使用されている（たとえば、特許文献１参照。）。このゴルフボールマーカーは、例えば、内部に磁石が埋設された円板状のもので、不使用時には、プレーヤーが装着している帽子の鍔、手袋、ベルトなどに装着されているマーカー保持具に磁力で吸着（着磁）されることにより取り付けられている。また、使用時には、プレーヤーが前記マーカー保持具から取り外してゴルフボールの位置に置くようにしている。
【０００３】
ところが、従来の特許文献１に示すようなゴルフボールマーカーを使用するときは、単に円板状のものがグリーン上に置かれるだけなので、通常のプレーにおいては不便を感じないとしても例えばグリーンが急斜面である時やロングパット時においては見え難く位置の確認が困難になってしまう、それが目立たないため他のプレーヤーが知らずにラインを踏んでしまうなどの不都合が生じていた。他方、目立たせるために複数の部材を組み合わせて複雑な形態にしたゴルフボールマーカーを使用する場合は、それをグリーン上に配置したとき他のプレーヤーに違和感を抱かせてしまうことがあるという不都合があった。
【０００４】
そのため、不使用時には帽子などのマーカー保持具に容易に取り付けることができると共に使用時にはグリーン上で目立たせることができる２ピース型のゴルフボールマーカーが開発されている（たとえば、特許文献２参照。）。
【先行技術文献】
【特許文献】
【０００５】
【特許文献１】実用新案登録第３１１１２４３号公報
【特許文献２】実用新案登録第３１１４６３１号公報
【考案の概要】
【考案が解決しようとする課題】
【０００６】
しかしながら、上記特許文献２に開示される従来のゴルフボールマーカーでは、下部マーカーと上部マーカーの外周形状が異なっており、外観上において一体感のないものであるなど、さらなる改良の余地のあるものであった。
【課題を解決するための手段】
【０００７】
そこで、請求項１に係る本考案では、上部マーカーを下部マーカーの上部に磁力により直立させて使用する２ピース一体型ゴルフボールマーカーにおいて、上部マーカーと下部マーカーとを同一外周形状に形成するとともに、下部マーカーを上部マーカーよりも重く形成することにした。
【０００８】
また、請求項２に係る本考案では、前記請求項１に係る本考案において、前記下部マーカーは、前記上部マーカーよりも肉厚に形成することにした。
【０００９】
また、請求項３に係る本考案では、前記請求項１又は請求項２に係る本考案において、前記下部マーカーは、上下に貫通する貫通穴を有し、その貫通穴に磁石を上下両面を露出させた状態で取付けることにした。
【００１０】
また、請求項４に係る本考案では、前記請求項１〜請求項３のいずれかに係る本考案において、前記下部マーカーは、前記上部マーカーを直立させる領域を凹状に形成することにした。
【考案の効果】
【００１１】
そして、本考案では、以下に記載する効果を奏する。
【００１２】
すなわち、本考案では、上部マーカーと下部マーカーとを同一外周形状に形成しているために、上部マーカーと下部マーカーとを重ねたときに外観上で一体感が生じ、１枚のゴルフボールマーカーとして取り扱うことができ、使い勝手を向上させることができる。
【００１３】
しかも、本考案では、下部マーカーを上部マーカーよりも重く形成しているために、下部マーカーの上部に上部マーカーを直立させて使用する時に、重心位置が低くなって全体的に安定感を向上させることができるとともに、強風が吹いても上部マーカーだけが下部マーカーから転がるだけで下部マーカーの位置がずれてしまうことがない。
【００１４】
特に、下部マーカーを上部マーカーよりも肉厚に形成した場合には、外観で上部マーカーと下部マーカーとを区別することができて使い勝手を向上させることができる。
【００１５】
また、下部マーカーに上下に貫通する貫通穴を設けて、その貫通穴に磁石を上下両面を露出させた状態で取付けた場合には、製造を容易なものとすることができる。
【００１６】
さらに、下部マーカーの上部マーカーを直立させる領域を凹状に形成した場合には、上部マーカーが下部マーカーから転がり落ちてしまうのを未然に防止することができる。
【図面の簡単な説明】
【００１７】
【図１】本考案のゴルフボールマーカーを説明するための図で、（ａ）は下部マーカー及び上部マーカーの各中央断面図、（ｂ）は下部マーカー及び上部マーカーをそれぞれ上方から見た平面図、（ｃ）は下部マーカー及び上部マーカーの各斜視図である。
【図２】（ａ）は下部マーカーの上面に上部マーカーの下面を重ねた第１の例の状態を示す中央断面図、（ｂ）は下部マーカーの下面に上部マーカーの下面を重ねた第２の例の状態を示す中央断面図、（ｃ）は（ａ）又は（ｂ）の状態を示す斜視図、（ｄ）は他の下部マーカーに上部マーカーを重ねた第３の例の状態を示す中央断面図である。
【図３】下部マーカーの磁石の上に上部マーカーの端面を磁力により吸着させることにより下部マーカーの上に上部マーカーを直立させた状態を示す斜視図である。
【考案を実施するための形態】
【００１８】
以下に、本考案に係る２ピース一体型ゴルフボールマーカの具体的な構成について図面を参照しながら説明する。
【００１９】
図１はゴルフボールマーカーを説明するための図で、（ａ）は下部マーカー及び上部マーカーの各中央断面図、（ｂ）は下部マーカー及び上部マーカーをそれぞれ上方から見た平面図、（ｃ）は下部マーカー及び上部マーカーの各斜視図である。
【００２０】
図１において、１は、平面が円形状に形成されており、その中央部分に平面が円形状の貫通穴が形成されており、且つ厚さが例えば１．２ｍｍ又はそれ以下の薄さに形成されている平板状の下部マーカーである。この下部マーカー１は例えばステンレス板により形成されているが、アルミニウム板やプラスチック板などの非磁性体材料により形成されていてもよい（アルミニウム板やプラスチック板などによるときは軽量化などのメリットも得られる）。また、前記下部マーカー１の中央の貫通穴１ａには、円柱状の磁石２が挿入されて接着剤などで固定されている（なお前記磁石２はその図示上下両面が露出された状態となっていることが望ましい）。また、前記下部マーカー１の貫通穴１ａの周縁部には、前記磁石２の周縁部に当接してこれを支持するための突部（抜け防止用突起）１ｂが形成されている。
【００２１】
また、図１において、３は、鉄板などの磁性体材料により、前記下部マーカー１と同じ形状及び大きさの平面を有するように形成されており、且つ厚さが１ｍｍ又はそれ以下の薄さに形成されている平板状の上部マーカーである。前記上部マーカー３は、その上面に塗料などで所定の装飾が施されている（前記上部マーカー３の裏面及び外周側の端面は磁性体材料が露出されていることが望ましいが、磁力を通過させやすい素材の塗料などで所定の装飾が施されていてもよい）。この上部マーカー３は、下部マーカー１よりも軽量で薄く形成している。
【００２２】
次にゴルフボールマーカーの使用方法について説明する。まず、ゴルフボールマーカーを使用しないときは、前記上部マーカー３の下面を前記下部マーカー１の磁石２の上面に磁気吸着させることにより、前記上部マーカー３の下面が前記下部マーカー１の上面に重なって両者が一体に見えるようにする（図２（ａ）（ｂ）及び（ｃ）に示す状態）。そして、この状態で、例えば帽子やベルトなどに取り付けられたマーカー保持具に磁気吸着などの方法で付着させておく。なお、図２（ａ）では、下部マーカーの上面の上に上部マーカーの下面を重ねた第１の例として、突部（抜け防止用突起）１ｂが上部マーカー３側に配置されている状態を示している。他方、図２（ｂ）では、下部マーカーの上面の上に上部マーカーの下面を重ねた第２の例として、突部（抜け防止用突起）１ｂが上部マーカー３とは反対の側に配置されている状態を示している。
【００２３】
次に、ゴルフボールマーカーを使用するときは、前記図２（ｃ）に示すように両者が一体化された（少なくとも一体化されているように見える）状態のままグリーン上に配置してもよいが、距離が離れているなどの事情でそれを目立たせたい場合は、図３に示すように、前記下部マーカー１の磁石２の上に、前記上部マーカー３の外周側の端面３ａを磁気により吸着させることにより、前記上部マーカー３の平面（上面及び下面）を前記下部マーカー１の上面に直立させるようにする。ここで、図１に示す下部マーカー１では、貫通穴１ａの周縁部に突部（抜け防止用突起）１ｂを形成して上部マーカー３を直立させる領域を凹状に形成しているが、図２（ｄ）に示すように、突部１ｂを形成せずに下部マーカー１と磁石２の上下面を平坦面に形成してもよい。
【００２４】
このように前記上部マーカー３を前記下部マーカー１の上に直立させるようにしたときは、ゴルフボールマーカーを目立たせることができるので、従来のゴルフボールマーカーを使用する場合において生じていたグリーンが急斜面である時やロングパット時において見え難く位置の確認が困難になってしまうとかそれが目立ち難いため他のプレーヤーが知らずにラインを踏んでしまうなどの不都合を有効に防止することができ、さらにゴルフボールマーカーの存在の確認が容易になるのでパットラインの確認が容易になりプレーのスピードアップやマナーアップなどにも貢献できるようになる。
【００２５】
また、上記ゴルフボールマーカーでは、前記上部マーカー３の端面３ａを前記下部マーカー１の磁石２の上に磁力で吸引させるという「比較的弱い力」だけで、前記上部マーカー３を前記下部マーカー１の上に直立させているため、例えば強風が吹いたときは前記磁力による吸引の力（比較的弱い力）が容易に破られて前記上部マーカー３が前記下部マーカー１の上に倒れるようになるので、前記上部マーカー３が強風であおられて前記下部マーカー１を含むゴルフボールマーカー全体の位置が強風で移動してしまうという不都合を防ぐことができる。
【００２６】
さらに、上記ゴルフボールマーカーでは、前述のように厚さが例えば１．２ｍｍの薄い平板状の下部マーカー１と、前記下部マーカー１と同じ形状及び大きさの平面を有し且つ厚さが例えば１ｍｍ以下の薄い平板状の上部マーカー３とによりゴルフボールマーカーを構成しているので、前記下部マーカー１の上に前記上部マーカー３を重ねた状態で使用するときは、他のプレーヤーからは両者が一体化されて見えてあたかも「一個の薄い平板状のゴルフボールマーカー」としてのみ視認されるようになるので、他のプレーヤーに違和感（複数の部材により複雑な形態のゴルフボールマーカーを使用するときに他のプレーヤーが抱く違和感）を抱かせることが防止される。
【００２７】
以上に説明したように、本考案では、上部マーカー３と下部マーカー１とを同一外周形状に形成している。そのため、本考案では、上部マーカー３と下部マーカー１とを重ねたときに外観上で一体感が生じ、１枚のゴルフボールマーカーとして取り扱うことができ、使い勝手を向上させることができる。
【００２８】
しかも、本考案では、下部マーカー１を上部マーカー３よりも重く形成しているために、下部マーカー１の上部に上部マーカー３を直立させて使用する時に、重心位置が低くなって全体的に安定感を向上させることができるとともに、強風が吹いても上部マーカー３だけが下部マーカー１から転がるだけで下部マーカー１の位置がずれてしまうことがない。
【００２９】
また、本考案では、下部マーカー１を上部マーカー３よりも肉厚に（厚みを厚く）形成しているために、外観で上部マーカー３と下部マーカー１とを区別することができて使い勝手を向上させることができる。
【００３０】
また、本考案では、下部マーカー１に上下に貫通する貫通穴1aを設けて、その貫通穴1aに磁石２を上下両面を露出させた状態で取付けているために、製造を容易なものとすることができる。
【００３１】
さらに、本考案では、下部マーカー１の上部マーカー３を直立させる領域を凹状に形成しているために、上部マーカー３が下部マーカー１から転がり落ちてしまうのを未然に防止することができる。
【００３２】
以上、本考案について説明したが、本考案及び本考案を構成する各構成要件は、上記構成に限定されるものではなく、様々な修正及び変更が可能である。例えば、前記下部マーカー１及び前記上部マーカー３はいずれも平面を円形状に形成するようにしているが、本考案においてはこれに限られるものではなく、例えばそれらの平面を６角形状、８角形状などの多角形状に形成するようにしてもよい。また前記磁石２はその上下両面が露出された状態とされているが、本考案はこれに限られるものでははく、前記磁石２の上面及び下面の双方又は一方を塗料（磁力を通過させやすい素材によるものが望ましい）などで装飾するようにしてもよい。さらに、前記上部マーカー３の上面に所定の装飾を施すだけでその裏面及び外周側の端面は磁性体材料が露出するようにしているが、本考案では前記上部マーカー３の裏面及び外周側の端面も塗料（磁力を通過させやすい素材によるものが望ましい）などで装飾するようにしてもよいことは勿論である。
【符号の説明】
【００３３】
１  下部マーカー
1a  貫通穴
1b  突部
２  磁石
３  上部マーカー
3a  端面
【図１】
0003153132.tif 000003
【図２】
0003153132.tif 000004
【図３】
0003153132.tif 000005